(57)【要約】【課題】従来よりも簡単な手順によって局間ピックアップサービスを提供することが可能な構内交換機を提供すること。【解決手段】複数のピックアップグループに分類される複数の内線端末を各々収容する着信側構内交換機と応答側構内交換機とを備える構内交換システムが提供される。応答側構内交換機１００ａは、応答側と着信側のピックアップグループを対応付ける局間ピックアップ情報を記憶する局間ピックアップ情報記憶部１２３と、局間ピックアップ情報を用いて通信回線を捕捉する回線捕捉部１２４と、捕捉された通信回線を通じて着信側構内交換機に局間ピックアップ要求情報を送信する局間ピックアップ要求送信部１２５と、を備える。着信側構内交換機１００ｂは、着信中の着信側内線端末を検出する着信端末検出部１３２と、着信呼の発信元を検索する発信元検索部１３３と、着信呼を応答側構内交換機に転送する着信呼転送部１３４と、を備える。【選択図】図１
2008118398.tif 000002
【特許請求の範囲】
【請求項１】
複数のピックアップグループに分類される複数の内線端末を収容し、通信回線によって接続された他の構内交換機に収容される内線端末に着信した呼を、収容する内線端末からピックアップ応答する局間ピックアップ応答のための制御を行う構内交換機であって、
自構内交換機に収容される内線端末（自局内線端末）のピックアップグループと、他の構内交換機に収容される内線端末（他局内線端末）のピックアップグループと、を対応付けるための局間ピックアップ情報を記憶する局間ピックアップ情報記憶部と、
前記自局内線端末からの局間ピックアップ応答要求に応じて、当該自局内線端末が属するピックアップグループに対応する前記局間ピックアップ情報を取得する局間ピックアップ情報取得部と、
前記取得された局間ピックアップ情報を用いて、ピックアップ対象の他局内線端末を収容する着信側構内交換機に接続される通信回線を捕捉する回線捕捉部と、
前記捕捉された通信回線を通じて、前記着信側構内交換機に対し局間ピックアップ応答を要求するための局間ピックアップ要求情報を送信する局間ピックアップ要求送信部と、
を備えることを特徴とする、構内交換機。
【請求項２】
前記局間ピックアップ要求送信部は、前記局間ピックアップ要求情報をダイヤル信号により送信することを特徴とする、請求項１に記載の構内交換機。
【請求項３】
前記局間ピックアップ要求情報は、ピックアップ対象の前記他局内線端末が属するピックアップグループを示す情報を含むことを特徴とする、請求項１または２のいずれかに記載の構内交換機。
【請求項４】
前記自局内線端末からピックアップ要求を受信した場合に、他の自局内線端末のうちのいずれかに着信した呼をピックアップ応答する局内ピックアップ応答または局間ピックアップ応答のいずれを実行するかを決定することを特徴とする、請求項１〜３のいずれかに記載の構内交換機。
【請求項５】
前記局間ピックアップ情報は、前記局間ピックアップ情報に対応する前記ピックアップグループの前記自局内線端末からピックアップ要求を受信した場合に、前記局内ピックアップ応答または前記局間ピックアップ応答のいずれを優先して実行するかを示す情報を含むことを特徴とする、請求項４に記載の構内交換機。
【請求項６】
複数のピックアップグループに分類される複数の内線端末を収容し、収容する内線端末に着信した呼を、通信回線によって接続された他の構内交換機に収容される内線端末からピックアップ応答させる局間ピックアップ応答のための制御を行う構内交換機であって、
局間ピックアップ応答を要求する応答側構内交換機から送信される局間ピックアップ要求情報に基づいて、自構内交換機に収容される内線端末（自局内線端末）の中からピックアップ対象となる着信中の内線端末を検出する着信端末検出部と、
前記着信中の自局内線端末の着信呼の発信元を検索する発信元検索部と、
前記着信中の自局内線端末に対する呼出しを停止し、前記着信呼を前記応答側構内交換機に転送する着信呼転送部と、
を備えることを特徴とする、構内交換機。
【請求項７】
前記応答側構内交換機から受信するダイヤル信号から、前記局間ピックアップ要求情報を検出することを特徴とする、請求項６に記載の構内交換機。
【請求項８】
前記局間ピックアップ要求情報は、ピックアップ対象となる前記自局内線端末が所属するピックアップグループを示す情報を含み、
前記着信端末検出部は、前記情報により示されるピックアップグループの中から前記着信中の自局内線端末を検出することを特徴とする、請求項６または７のいずれかに記載の構内交換機。
【請求項９】
前記応答側構内交換機に収容される内線端末（他局内線端末）のピックアップグループと、ピックアップ対象の前記自局内線端末のピックアップグループとを対応付ける局間ピックアップ情報を記憶する局間ピックアップ情報記憶部をさらに備え、
前記局間ピックアップ要求情報は、局間ピックアップ応答を要求している前記他局内線端末を示す応答側端末情報を含み、
前記着信端末検出部は、前記応答側端末情報を用いて検索された前記局間ピックアップ情報に基づいて、前記着信端末を検出することを特徴とする、請求項６または７のいずれかに記載の構内交換機。
【請求項１０】
通信回線で互いに接続され、複数のピックアップグループに分類される複数の内線端末を各々収容する着信側構内交換機と応答側構内交換機とを備える構内交換システムであって、
前記応答側構内交換機は、
自構内交換機に収容される応答側内線端末のピックアップグループと、前記着信側構内交換機に収容される着信側内線端末のピックアップグループと、を対応付けるための局間ピックアップ情報を記憶する局間ピックアップ情報記憶部と、
前記応答側内線端末からの局間ピックアップ応答要求に応じて、当該応答側内線端末が属するピックアップグループに対応する前記局間ピックアップ情報を取得する局間ピックアップ情報取得部と、
前記取得された局間ピックアップ情報を用いて、前記着信側構内交換機に接続される通信回線を捕捉する回線捕捉部と、
前記捕捉された通信回線を通じて、前記着信側構内交換機に対し局間ピックアップ応答を要求するための局間ピックアップ要求情報を送信する局間ピックアップ要求送信部と、
を備え、
前記着信側構内交換機は、
前記応答側構内交換機から受信した前記局間ピックアップ要求情報に基づいて、ピックアップ対象となる着信中の前記着信側内線端末を検出する着信端末検出部と、
前記検出された着信側内線端末に着信中の呼の発信元を検索する発信元検索部と、
前記着信中の着信側内線端末に対する呼出しを中止し、前記着信中の呼を前記応答側構内交換機に転送する着信呼転送部と、
を備えることを特徴とする、構内交換システム。
【請求項１１】
前記局間ピックアップ要求送信部は、前記着信側構内交換機に対し前記局間ピックアップ要求情報をダイヤル信号により送信し、
前記着信側構内交換機は、前記ダイヤル信号を受信し、前記局間ピックアップ要求情報を検出することを特徴とする、請求項１０に記載の構内交換機。
【請求項１２】
前記応答側構内交換機は、前記局間ピックアップ要求情報としてピックアップ対象の前記着信側内線端末が属するピックアップグループを示す情報を前記着信側構内交換機に送信し、
前記着信端末検出部は、送信された前記情報により示されるピックアップグループの中から前記着信側内線端末を検出することを請求項１０または１１のいずれかに記載の構内交換機。
【請求項１３】
前記着信側構内交換機は、前記応答側内線端末のピックアップグループと前記着信側内線端末のピックアップグループとを対応付ける着信側局間ピックアップ情報を記憶し、
前記応答側構内交換機は、前記局間ピックアップ要求情報として局間ピックアップ応答を要求している前記応答側内線端末を示す応答側端末情報を前記着信側構内交換機に送信し、
前記着信端末検出部は、前記応答側端末情報を用いて検索された前記着信側局間ピックアップ情報に基づいて、前記着信端末を検出することを特徴とする、請求項１０または１１のいずれかに記載の構内交換機。
【発明の詳細な説明】
【技術分野】
【０００１】
本発明は、構内交換機及び構内交換システムに関する。
【背景技術】
【０００２】
会社等で複数の人間が複数の電話を使用する場合、通常、外線と内線の接続や内線同士の通話・転送等の制御を行う構内交換機を用いて、電話回線網を構築している。一般に、このような構内交換機は、ある内線電話端末で所定の応答操作をすることによって、別の内線電話端末に対して着信した呼に応答できる、コールピックアップという機能を備えている。また、複数の内線電話端末をいくつかのグループに分割し、同一のグループ内に含まれる内線電話端末間でのみ、コールピックアップを可能にする機能も広く用いられている。このような内線電話端末のグループを、ピックアップグループと呼ぶ。
【０００３】
このように、コールピックアップの機能を利用する場合、通常は、同じ構内交換機に収容される内線端末に着信した呼のみが、ピックアップの対象となる。一方、特許文献１には、異なる構内交換機に収容される内線端末への着信呼もピックアップできるようにする、ピックアップサービスが開示されている。このピックアップサービスによると、ピックアップ応答を行う側の構内交換機（以下、応答側交換機という）は、局間ピックアップグループ登録テーブルに登録されている他局収容加入者番号を抽出し、抽出された加入者番号を収容する他の構内交換機に対してピックアップ要求信号を送信する。ピックアップ要求信号を受信した構内交換機は、ピックアップの可／不可を調査して結果信号を応答側交換機に送信する。応答側交換機は、結果信号がピックアップ可の場合、結果信号に設定されている回線とのパス接続を行う。結果信号がピックアップ不可の場合、再度局間ピックアップグループ登録テーブルを検索して、登録されている別の加入者番号を抽出し、上述の手順を繰り返す。
【０００４】
【特許文献１】特開平５−１６７６９１号公報
【発明の開示】
【発明が解決しようとする課題】
【０００５】
しかし、特許文献１の方法では、局間ピックアップグループ登録テーブルに登録されている各加入者番号に対して、ピックアップ要求信号とそれに対する結果信号のやり取りを必要とする、複雑な手順を経なければならない。
【０００６】
そこで、本発明は、上記問題に鑑みてなされたものであり、本発明の目的とするところは、簡単な手順によって局間ピックアップサービスを提供することが可能な、新規かつ改良された構内交換機及び構内交換システムを提供することにある。
【課題を解決するための手段】
【０００７】
上記課題を解決するために、本発明のある観点によれば、複数のピックアップグループに分類される複数の内線端末を収容し、通信回線によって接続された他の構内交換機に収容される内線端末に着信した呼を、収容する内線端末からピックアップ応答する局間ピックアップ応答のための制御を行う構内交換機であって、自局内線端末（自構内交換機に収容される内線端末）のピックアップグループと、他局内線端末（他の構内交換機に収容される内線端末）のピックアップグループと、を対応付けるための局間ピックアップ情報を記憶する局間ピックアップ情報記憶部と、自局内線端末からの局間ピックアップ応答要求に応じて、当該自局内線端末が属するピックアップグループに対応する局間ピックアップ情報を取得する局間ピックアップ情報取得部と、取得された局間ピックアップ情報を用いて、ピックアップ対象の他局内線端末を収容する着信側構内交換機に接続される通信回線を捕捉する回線捕捉部と、捕捉された通信回線を通じて、着信側構内交換機に対し局間ピックアップ応答を要求するための局間ピックアップ要求情報を送信する局間ピックアップ要求送信部と、を備え、主にピックアップ応答要求を行う側の機能を有する構内交換機が提供される。
【０００８】
かかる構成により、自局の内線端末から局間ピックアップ要求を受信した構内交換機は、その内線端末のピックアップグループに対応付けられた他局のピックアップグループの内線端末に対し、ピックアップ要求を行うことができる。
【０００９】
また、局間ピックアップ要求送信部は、局間ピックアップ要求情報をダイヤル信号により送信するようにしてもよい。これにより、通常のダイヤル信号処理と同様にして、局間ピックアップ要求を構内交換機間で送受信することができるため、特別な仕組みや信号処理を行う必要がなくなる。
【００１０】
また、局間ピックアップ要求情報は、ピックアップ対象の他局内線端末が属するピックアップグループを示す情報を含むようにしてもよい。これにより、ピックアップしようとする端末をピックアップグループ単位で指定することができ、他局のピックアップグループを、自局のピックアップグループと同じように扱うことができる。
【００１１】
また、自局内線端末からピックアップ要求を受信した場合に、他の自局内線端末のうちのいずれかに着信した呼をピックアップ応答する局内ピックアップ応答か、または局間ピックアップ応答のいずれを実行するかを決定するようにしてもよい。これにより、ユーザは、内線端末において、局内ピックアップと局間ピックアップとを区別せずに共通の操作でピックアップを行うことができる。したがって、ピックアップしようとする端末が自局内にあるのか、または他局内にあるのかを意識せずにピックアップ操作を行うことができる。
【００１２】
また、局間ピックアップ情報は、局間ピックアップ情報に対応するピックアップグループの自局内線端末からピックアップ要求を受信した場合に、局内ピックアップ応答または局間ピックアップ応答のいずれを優先して実行するかを示す情報を含むようにしてもよい。これにより、局内ピックアップと局間ピックアップのいずれを優先するかを、ピックアップグループ単位で指定することができる。
【００１３】
また、上記課題を解決するために、本発明の別の観点によれば、複数のピックアップグループに分類される複数の内線端末を収容し、収容する内線端末に着信した呼を、通信回線によって接続された他の構内交換機に収容される内線端末からピックアップ応答させる局間ピックアップ応答のための制御を行う構内交換機であって、局間ピックアップ応答を要求する応答側構内交換機から送信される局間ピックアップ要求情報に基づいて、自局内線端末（自構内交換機に収容される内線端末）の中からピックアップ対象となる着信中の内線端末を検出する着信端末検出部と、着信中の自局内線端末の着信呼の発信元を検索する発信元検索部と、着信中の自局内線端末に対する呼出しを停止し、着信呼を応答側構内交換機に転送する着信呼転送部と、を備え、主にピックアップ応答要求を受ける側の機能を有する、構内交換機が提供される。
【００１４】
かかる構成により、他局のピックアップグループに対応する自局のピックアップグループに着信した着信呼を、他局の内線端末から応答できるようにすることができる。
【００１５】
また、応答側構内交換機から受信するダイヤル信号から、局間ピックアップ要求情報を検出するようにしてもよい。これにより、通常のダイヤル信号処理と同様にして、局間ピックアップ要求を構内交換機間で送受信することができるため、特別な仕組みや信号処理を行う必要がない。
【００１６】
また、局間ピックアップ要求情報は、ピックアップ対象となる自局内線端末が所属するピックアップグループを示す情報を含み、着信端末検出部は、その情報により示されるピックアップグループの中から着信中の自局内線端末を検出するようにしてもよい。これにより、ピックアップしようとする端末をピックアップグループ単位で指定することができ、他局のピックアップグループを、自局のピックアップグループと同じように扱うことができる。
【００１７】
他局内線端末（応答側構内交換機に収容される内線端末）のピックアップグループと、ピックアップ対象の前記自局内線端末のピックアップグループとを対応付ける局間ピックアップ情報を記憶する局間ピックアップ情報記憶部をさらに備え、局間ピックアップ要求情報は、局間ピックアップ応答を要求している他局内線端末を示す応答側端末情報を含み、着信端末検出部は、応答側端末情報を用いて検索された局間ピックアップ情報に基づいて、着信端末を検出するようにしてもよい。これにより、ＤＩＬ回線等のようにダイヤル番号を通知しない回線であっても、応答側と着信側とのピックアップグループの対応付けが可能となり、局間ピックアップを実施することができる。
【００１８】
また、上記課題を解決するために、本発明の別の観点によれば、通信回線で互いに接続され、複数のピックアップグループに分類される複数の内線端末を各々収容する着信側構内交換機と応答側構内交換機とを備える構内交換システムであって、応答側構内交換機は、自構内交換機に収容される応答側内線端末のピックアップグループと、着信側構内交換機に収容される着信側内線端末のピックアップグループと、を対応付けるための局間ピックアップ情報を記憶する局間ピックアップ情報記憶部と、応答側内線端末からの局間ピックアップ応答要求に応じて、当該応答側内線端末が属するピックアップグループに対応する局間ピックアップ情報を取得する局間ピックアップ情報取得部と、取得された局間ピックアップ情報を用いて、着信側構内交換機に接続される通信回線を捕捉する回線捕捉部と、捕捉された通信回線を通じて、着信側構内交換機に対し局間ピックアップ応答を要求するための局間ピックアップ要求情報を送信する局間ピックアップ要求送信部と、を備え、着信側構内交換機は、応答側構内交換機から受信した局間ピックアップ要求情報に基づいて、ピックアップ対象となる着信中の着信側内線端末を検出する着信端末検出部と、検出された着信側内線端末に着信中の呼の発信元を検索する発信元検索部と、着信中の着信側内線端末に対する呼出しを中止し、着信中の呼を応答側構内交換機に転送する着信呼転送部と、を備える、構内交換システムが提供される。
【００１９】
かかる構成により、ある構内交換機のピックアップグループに着信した呼を、別の構内交換機の内線端末からピックアップ応答することができる。このとき２つの構内交換機のピックアップグループが１対１で対応付けられていることによって、他局のピックアップグループを自局のピックアップグループと同じように扱うことができる。これにより、ＩＰセントレックス化の移行過渡期等に、レガシーＰＢＸとＩＰ−ＰＢＸとを併用する場合であっても、ＩＰ−ＰＢＸからレガシーＰＢＸの内線端末をピックアップ応答することができ、従来と同じようなピックアップ応答処理を行うことができる。
【００２０】
また、局間ピックアップ要求送信部は、着信側構内交換機に対し局間ピックアップ要求情報をダイヤル信号により送信し、着信側構内交換機は、ダイヤル信号を受信し、局間ピックアップ要求情報を検出するようにしてもよい。これにより、通常のダイヤル信号処理と同様にして、局間ピックアップ要求を構内交換機間で送受信することができるため、特別な仕組みや信号処理を行う必要がない。
【００２１】
また、応答側構内交換機は、局間ピックアップ要求情報としてピックアップ対象の着信側内線端末が属するピックアップグループを示す情報を着信側構内交換機に送信し、着信端末検出部は、送信された情報により示されるピックアップグループの中から着信側内線端末を検出するようにしてもよい。これにより、ピックアップしようとする端末をピックアップグループ単位で指定することができ、他局のピックアップグループを、自局のピックアップグループと同じように扱うことができる。
【００２２】
また、着信側構内交換機は、応答側内線端末のピックアップグループと着信側内線端末のピックアップグループとを対応付ける着信側局間ピックアップ情報を記憶し、応答側構内交換機は、局間ピックアップ要求情報として局間ピックアップ応答を要求している応答側内線端末を示す応答側端末情報を着信側構内交換機に送信し、着信端末検出部は、応答側端末情報を用いて検索された着信側局間ピックアップ情報に基づいて、着信端末を検出するようにしてもよい。これにより、ＤＩＬ回線等のようにダイヤル番号を通知しない回線であっても、応答側と着信側とのピックアップグループの対応付けが可能となり、局間ピックアップを実施することができる。
【発明の効果】
【００２３】
以上説明したように本発明によれば、従来よりも簡単な手順によって局間ピックアップサービスを提供することが可能となる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
（第１の実施形態）
まず、図１を参照して、本発明の第１の実施形態にかかる構内交換システムについて説明する。ここで、図１は、本発明の一実施形態にかかる構内交換システム１０の概略構成を示すブロック図である。
【００２６】
図１に示すように、構内交換システム１０は、それぞれ複数の回線と内線電話端末とを収容する２つの構内交換機（Private Branch eXchange；以下、ＰＢＸという）１００ａ及び１００ｂを備える。ＰＢＸ１００ａは、内線端末（Ａ）〜（Ｆ）を収容し、ＰＢＸ１００ｂは、内線端末（Ｕ）〜（Ｚ）を収容する。また、ＰＢＸ１００ａとＰＢＸ１００ｂとの間は、ＩＳＤＮ（Integrated Service Digital Network：総合サービスディジタル網）１２によって接続され、通信路を形成している。また、ＰＢＸ１００ａ及び１００ｂは、共に公衆電話網（ＰＳＴＮ；Public Switched Telephone Network）１４に接続され、ＰＳＴＮ１４には、加入電話機１６が接続される。
【００２７】
ＰＢＸ１００ａ及び１００ｂは、共にピックアップ応答機能及びピックアップグループ機能を有しており、それぞれ収容する内線端末によって複数のピックアップグループを形成し、各ピックアップグループに含まれる内線端末間でのピックアップ応答が可能である。本実施形態において、ＰＢＸ１００ａは、ｎ個のピックアップグループを有しており、内線端末（Ａ）〜（Ｃ）はピックアップグループＡ１に所属し、内線端末（Ｄ）〜（Ｆ）はピックアップグループＡｎに所属する。また、ＰＢＸ１００ｂは、ｍ個のピックアップグループを有しており、内線端末（Ｕ）〜（Ｗ）はピックアップグループＢ１に所属し、内線端末（Ｘ）〜（Ｚ）はピックアップグループＢｍに所属する。
【００２８】
さらに、ＰＢＸ１００ａ及び１００ｂは、局間ピックアップ応答機能を有する。ここで、局間ピックアップ応答とは、あるＰＢＸ（自局）に収容される内線電話端末（自局内線端末）から、別のＰＢＸ（他局）に収容される内線電話端末（他局内線端末）に着信した呼をピックアップ応答することをいう。これに対し、自局の内線端末から、別の自局内線端末の着信呼をピックアップ応答することを、局内ピックアップ応答という。本実施形態においては、ＰＢＸ１００ａを応答側、ＰＢＸ１００ｂを着信側として、ＰＢＸ１００ｂ（以下、着信側ＰＢＸ１００ｂと呼ぶ）に収容される内線電話端末に着信した呼を、ＩＳＤＮ１２を経由してＰＢＸ１００ａ（以下、応答側ＰＢＸ１００ａと呼ぶ）に収容される内線電話端末からピックアップ応答するものとして説明する。
【００２９】
なお、ＰＢＸ１００ａ及び１００ｂは、ＶｏＩＰ対応のＩＰ−ＰＢＸであってもよく、あるいは、ＶｏＩＰ対応ではない既存のデジタルまたはアナログＰＢＸであって、いわゆるレガシーＰＢＸと呼ばれるものであってもよい。また、ＰＢＸ１００ａ及び１００ｂは、共にＩＰ−ＰＢＸまたはレガシーＰＢＸであってもよく、あるいは、一方がＩＰ−ＰＢＸであって他方はレガシーＰＢＸであってもよい。
【００３０】
以下、図２〜４を参照して、本実施形態にかかる応答側ＰＢＸ１００ａ及び着信側ＰＢＸ１００ｂの構成についてそれぞれ説明する。ここで、図２は、本実施形態にかかる応答側ＰＢＸ１００ａ及び着信側ＰＢＸ１００ｂの概略構成を示すブロック図である。また、図３は、本実施形態にかかる応答側ＰＢＸ１００ａの概略構成を示すブロック図であり、図４は、本実施形態にかかる着信側ＰＢＸ１００ｂの概略構成を示すブロック図である。
【００３１】
まず、図２に示すように、本実施形態にかかる応答側ＰＢＸ１００ａ及び着信側ＰＢＸ１００ｂは、局間ピックアップ応答処理部１１０、ＩＳＤＮインタフェース１４０、局線トランク１５０、内線トランク１６０−１〜１６０−ｎ、回線間で通話路を形成するための通話路スイッチ１７０、ＰＢＸ全体の動作を制御する主制御装置（図示せず）、ＰＢＸの各種の機能を実行するためのプログラムやデータを記憶する記憶装置（図示せず）等を含んで構成される。
【００３２】
局間ピックアップ応答処理部１１０は、応答側の内線端末（Ａ）〜（Ｆ）において、例えば、局間ピックアップ応答用特殊番号をダイヤルする等の所定の操作を実行した場合に、ＩＳＤＮ１２を経由して着信側の内線端末（Ｕ）〜（Ｚ）のいずれかに着信した呼をピックアップ応答できるようにするための機能部である。図２に示すように、局間ピックアップ応答処理部１１０は、応答側処理部１２０と、着信側処理部１３０とを含んで構成される。応答側処理部１２０は、局間ピックアップの応答を行う内線端末のＰＢＸ側に含まれる機能部であって、着信側ＰＢＸに対して局間ピックアップの応答要求を行う。着信側処理部１３０は、局間ピックアップされる内線端末のＰＢＸ側に含まれる機能部であって、応答側ＰＢＸから送られる局間ピックアップ応答要求に対するピックアップ処理を行う。各処理部の詳細については後述する。
【００３３】
ＩＳＤＮインタフェース１４０は、応答側ＰＢＸ１００ａと着信側ＰＢＸ１００ｂとの間を接続する専用線であるＩＳＤＮ１２に接続される。尚、本実施形態においては、応答側ＰＢＸ１００ａと着信側ＰＢＸ１００ｂとの間を接続する専用線としてＩＳＤＮを用いるが、本発明はこれに限られず、ＩＳＤＮ以外の回線を用いて接続されてもよい。
【００３４】
局線トランク１５０は、公衆電話網１４に接続される。内線トランク１６０−１〜１６０−ｎは、複数の内線を収容し、内線端末（Ａ）〜（Ｆ）が接続される。
【００３５】
通話路スイッチ１７０は、時分割スイッチ等により構成され、主制御装置の制御により内線トランク１６０−１〜１６０−ｎの間を相互に接続して通話路を形成し、内線端末（Ａ）〜（Ｆ）間の内線通話を実行させる。また、通話路スイッチ１７０は、主制御装置の制御により、内線トランク１６０−１〜１６０−ｎと局線トランク１５０とを接続して通話路を形成し、公衆電話網１４と内線端末（Ａ）〜（Ｆ）との外線通話を実行させる。
【００３６】
（応答側ＰＢＸ１００ａ）
次に、図３を参照して、本実施形態にかかる応答側ＰＢＸ１００ａについて説明する。なお、以下の説明では、主に、局間ピックアップの応答側の機能に関連する構成要素についてのみ説明し、着信側の機能やＰＢＸの一般的な機能についての説明は省略する。また、図３においても同様に、応答側ＰＢＸ１００ａの構成要素のうち、主に局間ピックアップ応答処理部１１０の応答側処理部１２０の内部構成についてのみ図示し、着信側処理部１３０等については省略する。
【００３７】
図３に示すように、応答側処理部１２０は、局間ピックアップ要求検出部１２１と、局間ピックアップ情報取得部１２２と、局間ピックアップ情報記憶部１２３と、回線捕捉部１２４と、局間ピックアップ要求送信部１２５とを含んで構成される。以下、応答側処理部１２０の各部について説明する。
【００３８】
局間ピックアップ要求検出部１２１は、収容されている内線端末（Ａ）〜（Ｆ）から送信される局間ピックアップ要求を検出するための機能部である。ユーザは、内線端末（Ａ）〜（Ｆ）のいずれかにおいて、所定の操作、例えば予め定められた特番をダイヤルすることによって、応答側ＰＢＸ１００ａに対して局間ピックアップの要求信号を送信することができる。局間ピックアップ要求検出部１２１は、このような、内線端末（Ａ）〜（Ｆ）から発信されたダイヤル情報を解析し、局間ピックアップ要求が送信されたことを検知する。さらに、局間ピックアップ要求検出部１２１は、局間ピックアップ情報取得部１２２に、要求を送信した送信元の内線端末に関する情報を渡し、局間ピックアップ情報の取得を依頼する。
【００３９】
局間ピックアップ情報取得部１２２は、局間ピックアップ情報記憶部１２３から局間ピックアップ情報を取得するための機能部である。局間ピックアップ情報取得部１２２は、局間ピックアップ要求検出部１２１から取得した内線端末の情報を元に、局間ピックアップ情報記憶部１２３から、該当する局間ピックアップ情報を取得する。本実施形態においては、局間ピックアップ情報取得部１２２は、局間ピックアップ要求を送信した内線端末のピックアップグループ番号を元に、局間ピックアップ情報を取得する。
【００４０】
局間ピックアップ情報記憶部１２３は、局間ピックアップ情報を記憶させるための記憶部である。図５を参照して、局間ピックアップ情報の詳細について説明する。ここで、図５は、局間ピックアップ情報記憶部１２３に記憶される局間ピックアップ情報の一例を示した説明図である。
【００４１】
図５に示すように、局間ピックアップ情報は、応答側ピックアップグループ番号１２３ａ、方路番号１２３ｂ、局間ピックアップ用特番１２３ｃ及び着信側ピックアップグループ番号１２３ｄを含んで構成される。応答側ピックアップグループ番号１２３ａは、局間ピックアップ要求を送信した内線端末が所属するピックアップグループの番号であり、局間ピックアップ情報の各レコードは、応答側ピックアップグループ番号１２３ａと対応付けられている。従って、局間ピックアップ情報取得部１２２は、応答側の内線端末のピックアップグループ番号を用いて、該当する局間ピックアップ情報を取得することができる。
【００４２】
方路番号１２３ｂは、着信側ＰＢＸ１００ｂに接続された通信回線を特定するための方路番号である。方路番号１２３ｂによって、応答側ＰＢＸ１００ａは、どの局（ＰＢＸ）に局間ピックアップ要求を送信するかを特定することができる。
【００４３】
局間ピックアップ用特番１２３ｃと着信側ピックアップグループ番号１２３ｄは、着信側ＰＢＸ１００ｂに送信され、着信側ＰＢＸ１００ｂによって利用される情報である。局間ピックアップ用特番１２３ｃは、着信側ＰＢＸ１００ｂが、応答側ＰＢＸ１００ａから受信したデータが、局間ピックアップ要求信号であることを検知できるようにするための情報である。また、着信側ピックアップグループ番号１２３ｄは、着信側ＰＢＸ１００ｂに存在するどのピックアップグループの内線端末の着信をピックアップするかを特定するための情報である。
【００４４】
回線捕捉部１２４は、着信側ＰＢＸ１００ｂとの通信を行うための通信回線を捕捉するための機能部である。回線捕捉部１２４は、局間ピックアップ情報取得部１２２が取得した局間ピックアップ情報に含まれる方路番号１２３ｂを受け取り、その番号に基づいて回線を捕捉する。
【００４５】
局間ピックアップ要求送信部１２５は、回線捕捉部１２４によって捕捉された回線を通じて、着信側ＰＢＸ１００ｂに対して局間ピックアップ要求を送信するための機能部である。送信される情報は、局間ピックアップ情報取得部１２２によって取得された局間ピックアップ情報に含まれる、局間ピックアップ特番１２３ｃ及び着信側ピックアップグループ番号１２３ｄである。局間ピックアップ要求送信部１２５は、これらの情報を、通常のダイヤル番号の発信時と同様に、呼設定メッセージによって送信することができる。また、応答側ＰＢＸ１００ａと着信側ＰＢＸ１００ｂとの間を、ＩＳＤＮではなく、アナログ専用線により接続した場合には、ダイヤルパルスまたはダイヤルトーン信号によって上記の情報を送信することができる。これにより、応答側ＰＢＸ１００ａと着信側ＰＢＸ１００ｂとの双方において、通常のダイヤル信号処理と同様にして、局間ピックアップ要求を送受信することができるため、特別な仕組みや信号処理を行う必要がない。
【００４６】
以上、応答側ＰＢＸ１００ａについて説明した。かかる構成により、自局の内線端末から局間ピックアップ要求を受信したＰＢＸは、その内線端末のピックアップグループに対応付けられた、他局のピックアップグループの内線端末に対し、ピックアップ要求を行うことができる。
【００４７】
（着信側ＰＢＸ１００ｂ）
次に、図４を参照して、本実施形態にかかる着信側ＰＢＸ１００ｂについて説明する。なお、以下の説明では、主に、局間ピックアップの着信側の機能に関連する構成要素についてのみ説明し、応答側の機能やＰＢＸの一般的な機能についての説明は省略する。また、図４においても同様に、着信側ＰＢＸ１００ｂの構成要素のうち、主に局間ピックアップ応答処理部１１０の着信側処理部１３０の内部構成についてのみ図示し、応答側処理部１２０等については省略する。
【００４８】
図４に示すように、着信側処理部１３０は、局間ピックアップ要求受信部１３１と、着信端末検索部１３２と、発信元検索部１３３と、着信呼転送部１３４とを含んで構成される。以下着信側処理部１３０の各部について説明する。
【００４９】
局間ピックアップ要求受信部１３１は、ＩＳＤＮ１２を経由して応答側ＰＢＸ１００ａより送信されたダイヤル情報を受信し、局間ピックアップ要求のデータを取得するための機能部である。上述したように、応答側ＰＢＸ１００ａからは、ダイヤル信号によって局間ピックアップ要求情報が送信される。これを受信した局間ピックアップ要求受信部１３１は、受信したダイヤル情報を解析し、ダイヤル情報に含まる「局間ピックアップ要求特番」によって、受信したダイヤル情報が局間ピックアップのためのものであることを検知する。ダイヤル情報に「局間ピックアップ要求特番」が含まれていた場合は、受信した情報を着信端末検索部１３２に渡して、局間ピックアップの処理を依頼する。
【００５０】
着信端末検索部１３２は、局間ピックアップ要求受信部１３１から取得した情報を元に、ピックアップ処理の対象となる着信端末を検索するための機能部である。着信端末検索部１３２は、応答側ＰＢＸ１００ａから送信された局間ピックアップ要求情報に含まれる、「着信側ピックアップグループ番号」を局間ピックアップ要求受信部１３１から取得し、その番号を元に、着信端末を検索する。着信側ピックアップグループ番号は、着信側ＰＢＸ１００ｂの内線端末（Ｕ）〜（Ｚ）が所属するピックアップグループＢ１〜Ｂｍの番号に該当する。着信端末検索部１３２は、通知されたピックアップグループに存在する内線端末のうち、着信中の端末を検索する。着信端末を検索する処理については、通常の局内ピックアップ等において行われる処理と同様の方法により、実施されることができる。
【００５１】
発信元検索部１３３は、着信端末検索部１３２によって検索された着信端末に着信中の呼の発信元を検索するための機能部である。ここで、発信元を検索する処理についても、通常の局内ピックアップ等において行われる処理と同様の方法により、実施されることができる。
【００５２】
着信呼転送部１３４は、ＩＳＤＮ１２を経由して着信呼を応答側ＰＢＸ１００ａ側に転送し、発信元と局間ピックアップ応答要求を行った内線端末との間で通話路が形成されるようにするための機能部である。具体的には、着信呼転送部１３４は、現在着信中の内線端末への呼出を停止し、局線トランク１５０とＩＳＤＮインタフェース１４０とを接続するように通話路スイッチ１７０を制御する。
【００５３】
以上、着信側ＰＢＸ１００ｂについて説明した。かかる構成により、応答側ＰＢＸ１００ａ側のピックアップグループに対応するピックアップグループの着信呼を、応答側の内線端末から応答できるようにすることができる。
【００５４】
以上、構内交換システム１０の構成について説明した。
【００５５】
なお、応答側処理部１２０及び着信側処理部１３０に含まれる各機能部は、上述した各機能を実行可能なプログラムモジュールで構成されたソフトウェアであってもよいし、あるいは、上述した各機能を実行可能なプロセッサ等のハードウエアで構成されてもよい。また、応答側処理部１２０の局間ピックアップ情報記憶部１２３は、例えば、半導体メモリ、光ディスク、磁気ディスク等の各種の記憶媒体等により構成されてもよい。
【００５６】
次に、図６に基づいて、本実施形態にかかる構内交換システム１０により実行される局間ピックアップ応答処理の一例を説明する。ここで、図６は、本実施形態にかかる構内交換システム１０により実行される局間ピックアップ応答処理の流れを示すフローチャートである。
【００５７】
図６を参照して、本実施形態にかかる構内交換システム１０により実行される局間ピックアップ応答処理の一例について説明する。ここでは、一例として、着信側ＰＢＸ１００ｂに収容される内線端末（Ｘ）に対する着信呼を、応答側ＰＢＸ１００ａに収容される内線端末（Ａ）からピックアップ応答するときの、応答側ＰＢＸ１００ａ及び着信側ＰＢＸ１００ｂの動作について説明する。
【００５８】
まず、ステップＳ１８０で、応答側ＰＢＸ１００ａが、内線端末（Ａ）から発信されたダイヤル情報を受信する。ダイヤル情報を解析して局間ピックアップ応答要求であることを検知する。
【００５９】
次いで、ステップＳ１８１で、内線端末（Ａ）が所属するピックアップグループＡ１を求め、Ａ１のグループ番号により局間ピックアップ情報記憶部１２３を検索して、該当する局間ピックアップ情報を取得する。検索の結果、ステップＳ１８２において、もし、該当する局間ピックアップ情報が局間ピックアップ情報記憶部１２３の中に存在しない場合、処理を終了してもよいし、あるいは、その代わりに局内ピックアップ処理を実行してもよい。
【００６０】
ステップＳ１８２において、該当する局間ピックアップ情報が存在する場合、ステップＳ１８３に進み、局間ピックアップ情報の中から方路番号を取得する。そして、取得した方路番号を用いて、ＩＳＤＮ１２を捕捉する。
【００６１】
次いで、ステップＳ１８４で、ＩＳＤＮ１２を通じて、局間ピックアップ情報から取得した局間ピックアップ用特番と着信側ピックアップグループ番号とを、着信側ＰＢＸ１００ｂに送信する。ここで、送信される情報は、ダイヤル情報として送信されてもよい。
【００６２】
ステップＳ１８５で、着信側ＰＢＸ１００ｂは、応答側ＰＢＸ１００ａから送信された局間ピックアップ要求を受信する。受信した局間ピックアップ要求に含まれる、局間ピックアップ用特番により、着信側ＰＢＸ１００ｂは、局間ピックアップ処理を行う。
【００６３】
ステップＳ１８６で、着信側ＰＢＸ１００ｂは、ステップＳ１８５で受信した局間ピックアップ要求に含まれる着信側ピックアップグループ番号を取得する。ここで、取得された着信側ピックアップグループ番号が、例えば、ピックアップグループＢｍの番号だったとすると、着信側ＰＢＸ１００ｂは、ピックアップグループＢｍの中で現在着信中の端末が存在するかを検索する。
【００６４】
ステップＳ１８６で、着信中の内線端末が見つからなかった場合は、処理を終了してもよいし、または、応答側ＰＢＸ１００ａに対し、その旨を通知する信号を送信してもよい。また、着信中の内線端末が２以上検索された場合は、例えば、内線端末間で優先順位を設けるなどして、どの端末の着信呼をピックアップするか決定する。
【００６５】
ステップＳ１８６の検索の結果、ピックアップグループＢｍの内線端末（Ｘ）が着信中であった場合、着信側ＰＢＸ１００ｂは、ステップＳ１８７で、着信中の呼の発信元を検索する。
【００６６】
次いで、ステップＳ１８８で、現在着信中の内線端末（Ｘ）への呼出を停止する。さらにステップＳ１８９で、局線トランク１５０とＩＳＤＮインタフェース１４０とを接続するように通話路スイッチ１７０を制御して、着信呼がＩＳＤＮ１２を経由して、応答側ＰＢＸ１００ａ側に転送されるようにする。
【００６７】
応答側ＰＢＸ１００ａの側では、ＩＳＤＮインタフェース１４０と内線端末（Ａ）の内線トランク１６０とが接続されるように通話路スイッチ１７０を制御して、ＩＳＤＮ１２を介して発信元と内線端末（Ａ）との間に通話路が形成されるようにする。
【００６８】
このように、２つのＰＢＸのピックアップグループが１対１で対応付けられていることによって、他局のピックアップグループを自局のピックアップグループと同じように扱うことができる。これにより、ＩＰセントレックス化の移行過渡期等に、レガシーＰＢＸとＩＰ−ＰＢＸとを併用する場合であっても、ＩＰ−ＰＢＸからレガシーＰＢＸの内線端末をピックアップ応答することができ、従来と同じようなピックアップ応答処理を行うことができる。
【００６９】
（変形例１）
上述の実施形態においては、応答側ＰＢＸ１００ａは、内線端末からの局間ピックアップ要求に対して必ず局間ピックアップを実行するものとして説明した。即ち、この場合、局内ピックアップを行う場合と、局間ピックアップを行う場合とで、内線端末から送信される要求信号が異なるか、あるいは、両者の間で共通のピックアップ要求信号が用いられる場合は、局間ピックアップが局内ピックアップよりも優先して実行される。しかし、本発明は、このような例に限られず、内線端末において共通の操作により局間／局内ピックアップの両方を実行できるようにしてもよい。例えば、自局内の他の内線端末が着信中のときは局内ピックアップが優先されるようにしてもよいし、あるいは、どちらを優先して実行するかを、応答側ＰＢＸ１００ａが所定の方法により決定してもよい。
【００７０】
以下、変形例１として、応答側ＰＢＸ１００ａが局間／局内ピックアップのどちらを優先して実行するかを決定するように構成した例について説明する。なお、以下の変形例にかかる応答側ＰＢＸ１００ａを構成する各部のうち、局間ピックアップ要求検出部１２１と、局間ピックアップ情報記憶部１２３とを除いては、実質的に同一の構成を有するものであるため、詳細説明は省略する。以下、本変形例にかかる応答側ＰＢＸ１００ａの局間ピックアップ要求検出部１２１と、局間ピックアップ情報記憶部１２３とについて説明する。
【００７１】
本変形例にかかる局間ピックアップ要求検出部１２１は、内線端末（Ａ）〜（Ｆ）からの局間ピックアップ要求を検出するための機能部であるが、ここでは、局間ピックアップと同時に局内ピックアップ要求も同様に検出する。ユーザは、内線端末（Ａ）〜（Ｆ）から、共通の操作を行うことによって、局間あるいは局内ピックアップのいずれかを実行することができる。つまり、着信中の内線端末が自局内／他局内のどちらであるのかを意識せずに操作することができる。
【００７２】
局間ピックアップ要求検出部１２１は、内線端末（Ａ）〜（Ｆ）から発信されたダイヤル情報を解析し、ピックアップ要求が送信されたことを検知するが、この時点では、まだ、局内ピックアップと局間ピックアップのどちらを実行するのか判別できないため、局間ピックアップ情報記憶部１２３に記憶されている局間ピックアップ情報を用いて決定する。
【００７３】
局間ピックアップ情報記憶部１２３は、図７に示すような局間ピックアップ情報を記憶するための記憶部である。ここで、図７は、本変形例にかかる局間ピックアップ情報記憶部１２３に記憶される局間ピックアップ情報の一例を示した説明図である。
【００７４】
図７に示すように、本変形例にかかる局間ピックアップ情報は、上述の第１の実施形態にかかる局間ピックアップ情報に加えて、優先フラグ１２３ｅを含む。優先フラグ１２３ｅは、局内ピックアップと局間ピックアップのどちらを優先して実行するかを決定するための値であって、例えば、「優先フラグ＝１」であれば局間ピックアップを優先し、「優先フラグ＝０」であれば局内ピックアップを優先する。例えば、内線端末（Ａ）からピックアップ要求を受信した場合、局間ピックアップ情報取得部１２２は、内線端末（Ａ）のピックアップグループＡ１に対応する局間ピックアップ情報を局間ピックアップ情報記憶部１２３から取得する。ここで、ピックアップグループＡ１の局間ピックアップ情報に含まれる優先フラグが、例えば「１」であった場合、局間ピックアップが優先される。優先フラグが「０」の場合は、局内ピックアップが優先され、通常のピックアップ処理を実行する。
【００７５】
本変形例においては、局間／局内ピックアップのどちらを優先して実行するかを決定するためのフラグを局間ピックアップ情報に含み、応答要求を行った内線端末のピックアップグループ毎に優先度を決定するものとしたが、本発明は、かかる例に限定されない。例えば、応答要求を行った内線端末毎に優先度を設定するようにしてもよい。あるいは、自局内の各内線端末との間で優先度を設定し、例えば、自局の内線端末（Ａ）が着信中のときは局内ピックアップを優先し、内線端末（Ｂ）が着信中のときは局間ピックアップを優先するようにしてもよい。
【００７６】
（変形例２）
次に、変形例２として、着信側ＰＢＸの変形例について説明する。図８は、変形例２にかかる着信側ＰＢＸ１００ｂ’の概略構成を示すブロック図である。
【００７７】
変形例２にかかる着信側ＰＢＸ１００ｂ’は、図８に示すように、応答側ＰＢＸ１００ａと同様に、局間ピックアップ情報を記憶する局間ピックアップ情報記憶部（着信側局間ピックアップ情報記憶部）１３５を備えるようにしたことを特徴とする。
【００７８】
局間ピックアップ情報記憶部１３５は、応答側ＰＢＸ１００ａのピックアップグループに対応する局間ピックアップ情報を記憶するための記憶部である。局間ピックアップ情報記憶部１３５には、応答側ＰＢＸ１００ａのピックアップグループと、着信側ＰＢＸ１００ｂ’のピックアップグループとを対応付けるためのデータが記憶される。着信側ＰＢＸ１００ｂ’は、局間ピックアップ情報記憶部１３５から応答側ＰＢＸ１００ａのピックアップグループに対応する自局のピックアップグループを検索し、着信端末検索部１３２において、検索されたピックアップグループ内から着信中の端末を検索する。
【００７９】
このように、応答側の局間ピックアップ情報を、着信側にも持つようにしたことにより、ＤＩＬ回線等のようにダイヤル番号を通知しない回線であっても、応答側と着信側とのピックアップグループの対応付けをすることができる。
【００８０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８１】
例えば、上記実施形態では、応答側と着信側のＰＢＸは互いに専用線で直接接続されているものとして説明したが、本発明はかかる例に限定されず、例えば、間に中継局を介して接続されるようにしてもよい。
【００８２】
また、上記実施形態においては、応答側と着信側のＰＢＸ間でダイヤル番号を通知することにより、ピックアップ要求に関する情報のやり取りをするものとして説明したが、本発明はかかる例に限定されず、例えば、ファシリティ等の情報を通知する方法により実施されるようにしてもよい。
【図面の簡単な説明】
【００８３】
【図１】本発明の一実施形態にかかる構内交換システムの概略構成を示すブロック図である。
【図２】同実施形態にかかる応答側ＰＢＸ及び着信側ＰＢＸの概略構成を示すブロック図である。
【図３】同実施形態にかかる応答側ＰＢＸの概略構成を示すブロック図である。
【図４】同実施形態にかかる着信側ＰＢＸの概略構成を示すブロック図である。
【図５】同実施形態にかかる局間ピックアップ情報記憶部に記憶される局間ピックアップ情報の一例を示した説明図である。
【図６】同実施形態にかかる構内交換システムにより実行される局間ピックアップ応答処理の流れを示すフローチャートである。
【図７】同実施形態の変形例１にかかる局間ピックアップ情報記憶部に記憶される局間ピックアップ情報の一例を示した説明図である。
【図８】同実施形態の変形例２にかかる着信側ＰＢＸの概略構成を示すブロック図である。
【符号の説明】
【００８４】
１０      構内交換システム
１２      ＩＳＤＮ
１４      公衆電話網
１６      加入電話機
１００ａ、１００ｂ    構内交換機（ＰＢＸ）
１１０    局間ピックアップ応答処理部
１２０    応答側処理部
１２１    局間ピックアップ要求検出部
１２２    局間ピックアップ情報取得部
１２３、１３５    局間ピックアップ情報記憶部
１２４    回線捕捉部
１２５    局間ピックアップ要求送信部
１３０    着信側処理部
１３１    局間ピックアップ要求受信部
１３２    着信端末検索部
１３３    発信元検索部
１３４    着信呼転送部
１４０    ＩＳＤＮインタフェース
１５０    局線トランク
１６０    内線トランク
１７０    通話路スイッチ
【図１】
2008118398.tif 000003
【図２】
2008118398.tif 000004
【図３】
2008118398.tif 000005
【図４】
2008118398.tif 000006
【図５】
2008118398.tif 000007
【図６】
2008118398.tif 000008
【図７】
2008118398.tif 000009
【図８】
2008118398.tif 000010